(57)【要約】【課題】接続機器の属性によって画像データを加工して送出することにより伝送量を適切に減ずることができる画像送出装置を提供すること。【解決手段】符号化された画像データを保持する符号化画像データ保持部と、保持されている符号化画像データを表示すべき接続機器において画像データを表示する領域の縦横比及び解像度を示す情報である表示条件を取得する表示条件取得部と、画像データ保持部に保持されている前記接続機器に表示する画像データを前記表示条件に基づいて画像全体が表示できるようにリサイズ処理するリサイズ処理部と、リサイズ処理された画像データである処理済画像データを前記接続機器に送出する第二送出部と、を有する画像送出装置を提供する。【選択図】    図１
2009135638.tif 000002
【特許請求の範囲】
【請求項１】
符号化された画像データを保持する符号化画像データ保持部と、
保持されている符号化画像データを表示すべき接続機器から、その接続機器が復号可能な符号化種別情報を取得する復号可能符号化種別情報取得部と、
符号化画像データ保持部に保持されている前記接続機器に表示すべき画像の符号化画像データが、取得した復号可能符号化種別に含まれているか判断する判断部と、
符号化画像データを復号化して復号化済画像データとする復号化部と、
判断部での判断結果が含まれているとの判断結果である場合にはその符号化画像データを符号化された状態のまま接続機器に送出し、判断結果が含まれていないとの判断結果である場合には復号化部にて復号化して復号化済画像データとし、接続機器が利用可能な映像信号として接続機器に送出する第一送出部と、
を有する画像送出装置。
【請求項２】
符号化された画像データを保持する符号化画像データ保持部と、
保持されている符号化画像データを表示すべき接続機器において画像データを表示する領域の縦横比及び解像度を示す情報である表示条件を取得する表示条件取得部と、
画像データ保持部に保持されている前記接続機器に表示する画像データを前記表示条件に基づいて画像全体が表示できるようにリサイズ処理するリサイズ処理部と、
リサイズ処理された画像データである処理済画像データを前記接続機器に送出する第二送出部と、
を有する画像送出装置。
【請求項３】
接続機器に対して表示条件の要求を示す情報である要求情報を送信する要求情報送信部をさらに有する請求項２に記載の画像送出装置。
【請求項４】
符号化された画像データを保持する符号化画像データ保持部と、
保持されている符号化画像データを表示すべき接続機器において画像データを表示する領域における色表示能力を示す情報である色表示条件を取得する色表示条件取得部と、
画像データ保持部に保持されている前記接続機器に表示する画像の画像データを前記色表示条件に基づいて色表示能力の表示限度いっぱいまで色を表示できるように画像データの色情報を調整する色調整部と、
色調整された画像データである色調整済画像データを前記接続機器に送出する第三送出部と、
を有する請求項２又は３に記載の画像送出装置。
【請求項５】
符号化された画像データを保持する符号化画像データ保持部と、
符号化画像データを表示すべき接続機器から、その接続機器において画像データを表示する領域のサイズ又は／及び解像度を示す情報である表示領域条件を取得する表示領域条件取得部と、
画像データの一覧表示を接続機器の表示部によって前記表示領域条件で表示する場合に、各画像の表示サイズ又は／及び解像度が所定基準以下にならないように一覧表示を制御する制御部と、
画像データの一覧表示画面を制御部の制御に基づいて生成する生成部と、
生成された一覧表示画面を接続機器に送出するための第四送出部と、
を有する画像送出装置。
【請求項６】
生成部は、一覧表示画面の表示のために制御に応じて機能させる同時一覧手段と、スライドショー型一覧手段とを有する請求項５に記載の画像送出装置。
【請求項７】
保持されている符号化画像データを表示すべき接続機器から、その接続機器が復号可能な符号化種別情報を取得する復号可能符号化種別情報取得ステップと、
符号化画像データ保持部に保持されている前記接続機器に表示すべき画像の符号化画像データが、取得した復号可能符号化種別に含まれているか判断する判断ステップと、
符号化画像データを復号化して復号化済画像データとする復号化ステップと、
判断ステップでの判断結果が含まれているとの判断結果である場合にはその符号化画像データを符号化された状態のまま接続機器に送出し、判断結果が含まれていないとの判断結果である場合には復号化部にて復号化して復号化済画像データとし、接続機器が利用可能な映像信号として接続機器に送出する第一送出ステップと、
を有する画像送出装置の動作方法。
【請求項８】
保持されている符号化画像データを表示すべき接続機器において画像データを表示する領域の縦横比及び解像度を示す情報である表示条件を取得する表示条件取得ステップと、
画像データ保持部に保持されている前記接続機器に表示する画像データを前記表示条件に基づいて画像全体が表示できるようにリサイズ処理するリサイズ処理ステップと、
リサイズ処理された画像データである処理済画像データを前記接続機器に送出する第二送出ステップと、
を有する画像送出装置の動作方法。
【請求項９】
接続機器に対して表示条件の要求を示す情報である要求情報を送信する要求情報送信ステップをさらに有する請求項８に記載の画像送出装置の動作方法。
【請求項１０】
保持されている符号化画像データを表示すべき接続機器において画像データを表示する領域における色表示能力を示す情報である色表示条件を取得する色表示条件取得ステップと、
画像データ保持部に保持されている前記接続機器に表示する画像の画像データを前記色表示条件に基づいて色表示能力の表示限度いっぱいまで色を表示できるように画像データの色情報を調整する色調整ステップと、
色調整された画像データである色調整済画像データを前記接続機器に送出する第三送出ステップと、
を有する請求項８又は９に記載の画像送出装置の動作方法。
【請求項１１】
符号化画像データを表示すべき接続機器から、その接続機器において画像データを表示する領域のサイズ又は／及び解像度を示す情報である表示領域条件を取得する表示領域条件取得ステップと、
画像データの一覧表示を接続機器の表示部によって前記表示領域条件で表示する場合に、各画像の表示サイズ又は／及び解像度が所定基準以下にならないように一覧表示を制御する制御ステップと、
画像データの一覧表示画面を制御部の制御に基づいて生成する生成ステップと、
生成された一覧表示画面を接続機器に送出するための第四送出ステップと、
を有する画像送出装置の動作方法。
【請求項１２】
生成ステップは、一覧表示画面の表示のために制御に応じて機能させる同時一覧サブステップと、スライドショー型一覧サブステップとを有する請求項１１に記載の画像送出装置の動作方法。
【発明の詳細な説明】
【技術分野】
【０００１】
本発明は、符号化された画像データを画像データ表示可能な接続機器に送出する際に接続機器の属性情報を取得し、これに適した形式に加工して画像を送出する画像送出装置に関する。
【背景技術】
【０００２】
従来は、モニタやテレビなどの接続機器にカメラなどの画像送出装置を接続した場合には、接続機器の画像データ処理能力または画像データ表示出力特性情報等によらず、復号化（デコード）後の画像データを送出していた。このように接続機器の属性によらず復号化後の画像データを送出する場合には、接続機器側で復号化処理が可能である場合にも復号化後の画像データを送出することになるため、無駄に伝送量が大きくなるという問題があった。また、画像表示領域サイズや縦横比、色表示能力等を考慮せず一律の画像を送出するために、適合しない表示となる場合もあった。
【０００３】
従来技術として、例えば、特許文献１のような複数種類の入出力インタフェースに対応可能なＡＶ機器であって、他機器と接続する際のユーザ設定作業を軽減可能な装置が提案されている。しかし、本発明はデコード後の映像信号および音声信号のフォーマットを適切なものに変換するものであり、常にデコードする過程が含まれる。さらに、画像表示領域を考慮するものではない。
【特許文献１】特開２００５−０５１５４７号公報
【発明の開示】
【発明が解決しようとする課題】
【０００４】
接続機器の画像データ処理能力や表示出力特性（モニタサイズ、解像度、色表示深度等）によらず、画像データを送出する場合には、無駄に伝送量が大きくなるという問題や、伝送時間がかかるといった問題があった。
【課題を解決するための手段】
【０００５】
そこで本発明においては、以下の構成により、接続機器の属性情報に合致する画像データを送出可能な画像送出機器を提案する。
【０００６】
第一の発明は、符号化された画像データを保持する符号化画像データ保持部と、保持されている符号化画像データを表示すべき接続機器から、その接続機器が復号可能な符号化種別情報を取得する復号可能符号化種別情報取得部と、符号化画像データ保持部に保持されている前記接続機器に表示すべき画像の符号化画像データが、取得した復号可能符号化種別に含まれているか判断する判断部と、符号化画像データを復号化して復号化済画像データとする復号化部と、判断部での判断結果が含まれているとの判断結果である場合にはその符号化画像データを符号化された状態のまま接続機器に送出し、判断結果が含まれていないとの判断結果である場合には復号化部にて復号化して復号化済画像データとし、接続機器が利用可能な映像信号として接続機器に送出する第一送出部と、を有する画像送出装置である。
【０００７】
第二の発明は、符号化された画像データを保持する符号化画像データ保持部と、保持されている符号化画像データを表示すべき接続機器において画像データを表示する領域の縦横比及び解像度を示す情報である表示条件を取得する表示条件取得部と、画像データ保持部に保持されている前記接続機器に表示する画像データを前記表示条件に基づいて画像全体が表示できるようにリサイズ処理するリサイズ処理部と、リサイズ処理された画像データである処理済画像データを前記接続機器に送出する第二送出部と、を有する画像送出装置である。
【０００８】
第三の発明は、接続機器に対して表示条件の要求を示す情報である要求情報を送信する要求情報送信部をさらに有する第二の発明に記載の画像送出装置である。
【０００９】
第四の発明は、符号化された画像データを保持する符号化画像データ保持部と、保持されている符号化画像データを表示すべき接続機器において画像データを表示する領域における色表示能力を示す情報である色表示条件を取得する色表示条件取得部と、画像データ保持部に保持されている前記接続機器に表示する画像の画像データを前記色表示条件に基づいて色表示能力の表示限度いっぱいまで色を表示できるように画像データの色情報を調整する色調整部と、色調整された画像データである色調整済画像データを前記接続機器に送出する第三送出部と、を有する第二の発明又は第三の発明に記載の画像送出装置である。
【００１０】
第五の発明は、符号化された画像データを保持する符号化画像データ保持部と、符号化画像データを表示すべき接続機器から、その接続機器において画像データを表示する領域のサイズ又は／及び解像度を示す情報である表示領域条件を取得する表示領域条件取得部と、画像データの一覧表示を接続機器の表示部によって前記表示領域条件で表示する場合に、各画像の表示サイズ又は／及び解像度が所定基準以下にならないように一覧表示を制御する制御部と、画像データの一覧表示画面を制御部の制御に基づいて生成する生成部と、生成された一覧表示画面を接続機器に送出するための第四送出部と、を有する画像送出装置である。
【００１１】
第六の発明は、生成部は、一覧表示画面の表示のために制御に応じて機能させる同時一覧手段と、スライドショー型一覧手段とを有する第五の発明に記載の画像送出装置である。
【００１２】
第七の発明は、保持されている符号化画像データを表示すべき接続機器から、その接続機器が復号可能な符号化種別情報を取得する復号可能符号化種別情報取得ステップと、符号化画像データ保持部に保持されている前記接続機器に表示すべき画像の符号化画像データが、取得した復号可能符号化種別に含まれているか判断する判断ステップと、符号化画像データを復号化して復号化済画像データとする復号化ステップと、判断ステップでの判断結果が含まれているとの判断結果である場合にはその符号化画像データを符号化された状態のまま接続機器に送出し、判断結果が含まれていないとの判断結果である場合には復号化部にて復号化して復号化済画像データとし、接続機器が利用可能な映像信号として接続機器に送出する第一送出ステップと、を有する画像送出装置の動作方法である。
【００１３】
第八の発明は、保持されている符号化画像データを表示すべき接続機器において画像データを表示する領域の縦横比及び解像度を示す情報である表示条件を取得する表示条件取得ステップと、画像データ保持部に保持されている前記接続機器に表示する画像データを前記表示条件に基づいて画像全体が表示できるようにリサイズ処理するリサイズ処理ステップと、リサイズ処理された画像データである処理済画像データを前記接続機器に送出する第二送出ステップと、を有する画像送出装置の動作方法である。
【００１４】
第九の発明は、接続機器に対して表示条件の要求を示す情報である要求情報を送信する要求情報送信ステップをさらに有する第八の発明に記載の画像送出装置の動作方法である。
【００１５】
第十の発明は、保持されている符号化画像データを表示すべき接続機器において画像データを表示する領域における色表示能力を示す情報である色表示条件を取得する色表示条件取得ステップと、画像データ保持部に保持されている前記接続機器に表示する画像の画像データを前記色表示条件に基づいて色表示能力の表示限度いっぱいまで色を表示できるように画像データの色情報を調整する色調整ステップと、色調整された画像データである色調整済画像データを前記接続機器に送出する第三送出ステップと、を有する第八の発明又は第九の発明に記載の画像送出装置の動作方法である。
【００１６】
第十一の発明は、符号化画像データを表示すべき接続機器から、その接続機器において画像データを表示する領域のサイズ又は／及び解像度を示す情報である表示領域条件を取得する表示領域条件取得ステップと、画像データの一覧表示を接続機器の表示部によって前記表示領域条件で表示する場合に、各画像の表示サイズ又は／及び解像度が所定基準以下にならないように一覧表示を制御する制御ステップと、画像データの一覧表示画面を制御部の制御に基づいて生成する生成ステップと、生成された一覧表示画面を接続機器に送出するための第四送出ステップと、を有する画像送出装置の動作方法である。
【００１７】
第十二の発明は、生成ステップは、一覧表示画面の表示のために制御に応じて機能させる同時一覧サブステップと、スライドショー型一覧サブステップとを有する第十一の発明に記載の画像送出装置の動作方法である。
【発明の効果】
【００１８】
以上のような構成をとる第一の発明、第七の発明によれば、接続機器が復号化する機能を有している場合には、符号化したままの画像データを送出するため、伝送量が少なくなり伝送時間が短縮される。さらに、接続機器において最適な内容に復号化して表示を行うことができる。また、接続機器が復号化する機能を有していない場合には映像信号として送出するため、必ず画像データを接続機器に表示させることができる。さらに、符号化画像データとして送出するか映像信号として送出するかは、画像送出装置が判断するため、ユーザにとって煩わしい作業が低減する。
【００１９】
また、第二の発明、第八の発明によれば、接続機器の画像データを表示する領域の表示条件で画像データを送出するため、伝送量が無駄に大きくなることはない。特に、携帯機器のように画像データを表示する領域が小さい機器に対しては、表示する領域の大きさに合わせた画像データを伝送することが可能である。
【００２０】
また、第三の発明、第九の発明によれば、画像送出装置は接続機器に対して表示条件を要求する機能をもつので、ユーザが表示条件を入力する必要はない。
【００２１】
また、第四の発明、第十の発明によれば、接続機器に表示させる色表示条件で画像データを送出するため、伝送量が無駄に大きくなることはない。接続機器が最大限表示できる色表示能力に合わせたデータを送出することが可能である。
【００２２】
また、第五の発明、第六の発明、第十一の発明、第十二の発明によれば、接続機器に表示させる一覧表示の条件に合わせて画像データを送出するため、伝送量が無駄に大きくなることはない。また、表示サイズや解像度に基準値が設けられているため見にくい一覧表示がなされることがない。さらに、接続装置に一覧表示アプリケーションがない場合でも一覧表示画面を作成することが可能である。
【発明を実施するための最良の形態】
【００２３】
以下に各発明を実施するための最良の形態を説明する。なお、本発明はこれら実施形態に何ら限定されるものではなく、その要旨を逸脱しない範囲において、種々なる態様で実施しうる。なお、以下の実施形態と請求項の関係は次の通りである。実施形態１は、主に請求項１、請求項７などについて説明する。実施形態２は、主に請求項２、請求項８などについて説明する。実施形態３は、主に請求項３、請求項９などについて説明する。実施形態４は、主に請求項４、請求項１０などについて説明する。実施形態５は、主に請求項５、請求項６、請求項１１、請求項１２などについて説明する。
＜＜実施形態１＞＞
【００２４】
＜実施形態１：概要＞本実施形態は、接続機器の復号化能力に応じて画像データの出力形式を変更する画像送出装置及びその動作方法について説明する。
【００２５】
＜実施形態１：構成＞本実施形態に係る画像送出装置の機能ブロック図を図１に例示する。図１に示す画像送出装置（０１００）は、「符号化画像データ保持部」（０１０１）と、「復号可能符号化種別情報取得部」（０１０２）と、「判断部」（０１０３）と、「復号化部」（０１０４）と、「第一送出部」（０１０５）と、を有する。
【００２６】
また、本実施形態において「画像送出装置」（０１００）は画像データを表示可能な「接続機器」（０１０６）と接続されている。
【００２７】
「符号化画像データ保持部」（０１０１）は、符号化された画像データを保持する機能を有する。符号化された画像データとは、データ容量が小さくなるように圧縮された画像データのことである。例えば、ＪＰＥＧ（Ｊｏｉｎｔ  ＰｈｏｔｏＧｒａｐｈｉｃ  Ｅｘｐｅｒｔｓ  Ｇｒｏｕｐ）、ＧＩＦ（Ｇｒａｐｈｉｃｓ  Ｉｎｔｅｒｃｈａｎｇｅ  Ｆｏｒｍａｔ）、ＰＮＧ（Ｐｏｒｔａｂｌｅ  Ｎｅｔｗｏｒｋ  Ｇｒａｐｈｉｃｓ）、ＴＩＦＦ（Ｔａｇｇｅｄ  Ｉｍａｇｅ  Ｆｉｌｅ  Ｆｏｒｍａｔ）、Ｅｘｉｆ（Ｅｘｃｈａｎｇｅ  Ｉｍａｇｅ  Ｆｉｌｅ  Ｆｏｒｍａｔ）などの符号化種別が一般的によく知られているが、これら以外の符号化種別により符号化された画像データであってもよい。符号化は一般的に圧縮やエンコードともいわれる。
【００２８】
「復号可能符号化種別情報取得部」（０１０２）は、保持されている符号化画像データを表示すべき接続機器から、その接続機器が復号可能な符号化種別情報を取得する機能を有する。ここで接続機器とは、画像データを表示可能な接続機器であり、具体的にはモニタやテレビなどである。符号化種別とは先述の通り、ＪＰＥＧ、ＧＩＦ、ＰＮＧ、ＴＩＦＦ、Ｅｘｉｆなどであり、接続機器が復号可能な符号化種別情報とは、接続機器ＡはＪＰＥＧにて復号可能、接続機器ＢはＧＩＦ形式とＰＮＧ形式にて復号可能、といった情報である。復号可能な符号化種別情報は１つの接続機器について１つの符号化種別に限らず、復号可能な全ての符号化種別を取得する。
【００２９】
「判断部」（０１０３）は、「符号化画像データ保持部」（０１０１）に保持されている前記接続機器に表示すべき画像の符号化画像データが、取得した復号可能符号化種別に含まれているか判断する機能を有する。表示すべき画像とは、ユーザが表示したいと指定した画像であってもよいし、画像送出装置に含まれる全ての画像であってもよい。例えば、画像送出装置が保持している符号化画像データの符号化種別がＪＰＥＧであり、「復号可能符号化種別情報取得部」（０１０２）にて取得した接続機器が復号可能な符号化種別がＪＰＥＧであった場合には、符号化画像データが、取得した復号可能符号化種別に含まれている、との判断をする。また、画像送出装置が保持している符号化画像データの符号化種別がＪＰＥＧであり、「復号可能符号化種別情報取得部」（０１０２）にて取得した接続機器が復号可能な符号化種別がＧＩＦ、ＰＮＧであった場合には、符号化画像データが、取得した復号可能符号化種別に含まれていないとの判断をする。また、符号化画像データが２種類の符号化種別にて画像送出装置に保持されている場合には、そのどちらかが取得した接続機器が復号可能な符号化種別に含まれていれば含まれていると判断する。さらに、画像送出装置に含まれる複数の画像を接続機器に表示する場合であり、画像送出装置が画像ごとに異なる符号化種別にて保持している場合には、異なる符号化種別ごとに取得した接続機器が復号可能な符号化種別に含まれるかを判断する。
【００３０】
「復号化部」（０１０４）は、符号化画像データを復号化して復号化済画像データとする機能を有する。復号化は一般的に解凍やデコードともいわれる。
【００３１】
「第一送出部」（０１０５）は、「判断部」（０１０３）での判断結果が含まれているとの判断結果である場合にはその符号化画像データを符号化された状態のまま接続機器に送出し、判断結果が含まれていないとの判断結果である場合には「復号化部」（０１０４）にて復号化して復号化済画像データとし、接続機器が利用可能な映像信号として接続機器に送出する機能を有する。映像信号とは、アナログ映像信号やデジタル映像信号があり、ＤＶＩ端子、Ｄ端子、ＲＣＡ端子、Ｓ端子、ＨＤＭＩ（登録商標）端子、ｉ．ＬＩＮＫ（登録商標）などのインタフェースを通じて接続装置に送出される。画像送出装置と接続機器との接続は有線であっても無線であってもよい。なお、画像送出装置と接続機器とは、予想される映像信号形式の全てを伝送可能に接続されていることが望ましい。
【００３２】
＜実施形態１：ハードウェア構成＞図２は本実施形態に係る画像送出装置の各構成要素をハードウェアとして表現した際の構成の一例を表す概略図である。本実施形態の構成要素である各部の全部又は一部は、ハードウェア、ソフトウェア、ハードウェアとソフトウェアの両方のいずれかによって構成される。例えば、これらを実現する一例として、コンピュータを利用する場合には、ＣＰＵ、バス、メモリ、インタフェース、周辺装置などで構成されるハードウェアと、それらハードウェア上で実行可能なソフトウェアがある。ソフトウェアとしては、メモリ上に展開されたプログラムを順次実行することで、メモリ上のデータや、インタフェースを介して入力されるデータの加工、保存、出力などにより各部の機能が実現される。（明細書の全体を通じて同様である。）
【００３３】
さらに具体的には、図２のようにコンピュータがＣＰＵ（０２０１）、一次記憶メモリ（ＲＡＭ）（０２０２）、ＲＯＭ（０２０３）、入出力インタフェース（０２０４）、フラッシュメモリ（０２０５）、ＨＤＤ（０２０６）、信号処理部（０２０８）等から構成されており、それらがシステムバス（０２０７）等のデータ通信経路によって相互に接続され、情報の送受信や処理を行う。（明細書の全体を通じて同様である。）
【００３４】
また、ＲＡＭ（０２０２）は、各種処理を行うプログラムをＣＰＵ（０２０１）に実行させるために読み出すと同時にそのプログラムのワーク領域を提供する。また、ＲＡＭ（０２０２）やＲＯＭ（０２０３）にはそれぞれ複数のメモリアドレスが割り当てられており、ＣＰＵ（０２０１）で実行されるプログラムは、そのメモリアドレスを特定しアクセスすることで相互にデータのやり取りを行い、処理を行うことが可能になっている。（明細書の全体を通じて同様である。）
【００３５】
図２を利用して、本実施形態に係る画像送出装置のハードウェア構成部の働きについて説明する。まず、画像送出装置から接続機器への画像送出作業の開始指示を受けると、復号可能符号化種別情報取得プログラムを実行し、入出力インタフェースを介して接続されている接続機器に復号可能な符号化種別を出力するように命令し、そして、接続機器から復号可能な符号化種別を取得する。取得した符号化種別は、符号化種別情報として接続機器に関連づけてＲＡＭ（０２０２）の記憶データ領域に記録・保持する。このとき、現状接続されている接続機器の符号化種別として記憶・保持してもよいし、接続機器の機器情報と関連づけて記憶・保持してもよい。次に、フラッシュメモリ（０２０５）などの記憶領域に保持されている符号化画像データの符号化種別を取得し、符号化画像データの符号化種別情報としてＲＡＭ（０２０２）の記憶データ領域に記録・保持する。そして、次に判断プログラムを実行し、ＲＡＭ（０２０２）の記憶データ領域に記録・保持されている符号化画像データの符号化種別が、接続機器の復号可能な符号化種別に含まれるかを判断する。この判断は、ＣＰＵ（０２０１）の比較演算処理によってなされる。
【００３６】
判断プログラムによる判断結果が、含まれるとの判断結果であった場合には、第一送出プログラムを実行し、入出力インタフェース（０２０４）を通じて、符号化画像データを接続機器に送出する。また、判断プログラムによる判断結果が含まれないとの判断結果であった場合には、復号化プログラムを実行し、符号化画像データを復号化して復号化済画像データとし、さらに、信号処理部（０２０８）にて復号化画像データを接続機器が利用可能な映像信号に変換する。そして、第一送出プログラムを実行し、入出力インタフェース（０２０４）を通じて映像信号を接続機器に送出する。
【００３７】
＜実施形態１：処理の流れ＞図３は、本実施形態に係る画像送出装置の動作方法の処理の流れを示す一例である。
【００３８】
最初に、ステップＳ０３０１において、接続機器が復号可能な符号化種別情報を取得する。次に、ステップＳ０３０２において、符号化画像データの符号化種別が取得した復号可能符号化種別に含まれているかを判断する。ここでの判断が、含まれているとの判断であった場合にはＳ０３０４に進み、符号化したままの符号化画像データを接続機器に送出する。また、Ｓ０３０２における判断が含まれていないとの判断であった場合には、ステップＳ０３０３において符号化画像データを復号化し復号化済画像データにする。そして、ステップＳ０３０４において、復号化した画像データを接続機器が利用可能な映像信号として接続機器に送出する。
【００３９】
＜実施形態１：効果＞本実施形態に係る画像送出装置によれば、接続機器が復号化する機能を有している場合には、符号化したままの画像データを送出するため、伝送量が少なくなり伝送時間が短縮される。さらに、接続機器において最適な内容に復号化して表示を行うことができる。また、接続機器が復号化する機能を有していない場合には映像信号として送出するため、必ず画像データを接続機器に表示させることができる。さらに、符号化画像データとして送出するか映像信号として送出するかは、画像送出装置が判断するため、ユーザにとって煩わしい作業が低減する。
＜＜実施形態２＞＞
【００４０】
＜実施形態２：概要＞本実施形態は、接続機器の表示部分における表示条件に応じて出力する画像データをリサイズして送出する画像送出装置及びその動作方法について説明する。
【００４１】
＜実施形態２：構成＞本実施形態に係る画像送出装置の機能ブロック図を図４に例示する。図４に示す画像送出装置（０４００）は、「符号化画像データ保持部」（０４０１）と、「表示条件取得部」（０４０２）と、「リサイズ処理部」（０４０３）と、「第二送出部」（０４０４）と、を有する。
【００４２】
また、本実施形態において「画像送出装置」（０４００）は画像データを表示可能な「接続機器」（０４０５）と接続されている。
【００４３】
「符号化画像データ保持部」（０４０１）については、実施形態１と同様であるのでここでの説明は省略する。
【００４４】
「表示条件取得部」（０４０２）は、保持されている符号化画像データを表示すべき接続機器において画像データを表示する領域の縦横比及び解像度を示す情報である表示条件を取得する機能を有する。画像データを表示する領域とは、例えば、図５（１）の富士山の画像を表示した領域（０５０４）である。
【００４５】
図５は、接続機器に画像データを表示する一例を示したものである。図５（１）は、解像度の異なる２枚のシートを重ね合わせる概念図であり、図５（２）は（１）の２枚のシートを重ねて接続機器（０５０５）に表示したときの概念図である。
【００４６】
図５（１）のシート１（０５０１）は、日時、時間、天気、などの画像データに関連する情報を表示するためのシートである。このシートは、解像度「６４０×４８０」で構成されている。また、シート２（０５０３）は画像データを表示するためのシートである。このシートは、解像度「１９２０×１０８０」で構成されている。さらに、画像データを表示する領域（０５０４）は、解像度「９６０×５４０」で構成されている。また、画像データを表示する領域の縦横比は「１６：９」である。
【００４７】
なお、図５（１）においてそれぞれのシートは同じサイズに変換した状態を示している。シート２において画像データを配置した領域（０５０４）は、シート１において穴の空いた領域（０５０２）と一致するように構成されており、２つのシートを重ねて接続機器（０５０５）に表示すると、図５（２）のように画像データ情報と画像データを同時に表示することができる。
【００４８】
例えば、２つのシートを１５インチのテレビに表示する場合には、シート１の画面解像度は５３．３ｄｐｉとなり、シート２の画面解像度は１６０ｄｐｉとなる。このように、解像度の異なるシートを利用することにより、表示画面の領域によって画面解像度が異なる表示をすることができる。なお、シートは２枚に限らず、多数枚であってもよい。
【００４９】
図５のように画像データを表示する場合には、画像データを表示する領域の解像度は「９６０×５４０」、縦横比は「１６：９」である、という表示条件を取得する。なお、縦横比を取得するのは、画素の形状が正方形であるとは限らないため元の画像データの縦横比のバランスを保って表示させるために必要だからである。また、接続機器において画像データを表示する領域のサイズおよび最高画面解像度を取得し、適切な解像度および縦横比を計算するという構成であってもよい。このように、画像データを表示する領域の表示条件とは、接続機器が有する画像データ表示アプリケーションによって決定される。表示条件は、ユーザが入力することにより取得されてもよい。また、画像データを表示する領域は画面全体であってもよい。
【００５０】
「リサイズ処理部」（０４０３）は、画像データ保持部に保持されている前記接続機器に表示する画像データを前記表示条件に基づいて画像全体が表示できるようにリサイズ処理する機能を有する。例えば、接続機器に表示する画像データの元の解像度が「１２８０×９６０」、縦横比が「４：３」であった場合には、画像データの元の縦横比を保ったまま、画像データ全体を表示できるようにするため、解像度「７２０×５４０」にリサイズされる。このとき接続機器の画像データを表示する領域の画面解像度が設定に最大限近づくように調整される。この場合には画像データを表示する領域が画像データよりも横長であるために、図５に示したように左右に黒く塗りつぶされた領域ができる。この黒く塗りつぶされた領域は、左右のどちらかに寄っていてもよい。なお、画像データを表示する画像データの元の解像度が、画像データを表示する領域の解像度よりも小さい場合にはリサイズ処理は行われなくてもよい。
【００５１】
「第二送出部」（０４０４）は、リサイズ処理された画像データである処理済画像データを前記接続機器に送出する機能を有する。
【００５２】
＜実施形態２：ハードウェア構成＞図６は本実施形態に係る画像送出装置の各構成要素をハードウェアとして表現した際の構成の一例を表す概略図である。図６を利用して、本実施形態に係る画像送出装置のハードウェア構成部の働きについて説明する。まず、画像送出装置から接続機器への画像送出作業の開始指示を受けると、表示条件取得プログラムを実行し、入出力インタフェースを介して接続されている接続機器に画像データを表示する領域の縦横比及び解像度を示す情報である表示条件を取得する。取得した表示条件は、画像データを表示する領域の表示条件として、ＲＡＭ（０６０２）の記憶データ領域に記録・保持する。ここで、接続機器が有する画像データ表示アプリケーションに関連付けて記憶・保持してもよい。次に、フラッシュメモリ（０６０５）などの記憶領域に保持されている接続装置に表示する画像データの縦横比及び解像度等の画像データ情報を取得し、ＲＡＭ（０６０２）の記憶データ領域に記録・保持する。そして、次にリサイズ処理プログラムを実行し、画像データを表示する領域の表示条件と画像データ情報とを比較し、縦横比を保ったまま全体が表示できるようにリサイズ処理をする。そして、リサイズ処理された画像データである処理済画像データをＲＡＭ（０６０２）の記憶データ領域に記憶・保持する。そして、第二送出プログラムを実行し、入出力インタフェース（０６０４）を通じて、ＲＡＭ（０６０２）の記憶データ領域に保持されている処理済画像データを接続機器に送出する。
【００５３】
＜実施形態２：処理の流れ＞図７は、本実施形態に係る画像送出装置の動作方法の処理の流れを示す一例である。
【００５４】
最初に、ステップＳ０７０１において、接続機器において画像データを表示する領域の表示条件を取得する。次に、ステップＳ０７０２において、取得した表示条件に基づいて接続機器に表示する画像データのリサイズ処理をする。そして、ステップＳ０７０３において、リサイズ処理をした処理済画像データを接続機器に送出する。
【００５５】
＜実施形態２：効果＞本実施形態に係る画像送出装置によれば、接続機器の画像データを表示する領域の表示条件で画像データを送出するため、伝送量が無駄に大きくなることはない。特に、携帯機器のように画像データを表示する領域が小さい機器に対しては、表示する領域の大きさに合わせた画像データを伝送することが可能である。
＜＜実施形態３＞＞
【００５６】
＜実施形態３：概要＞本実施形態は、接続機器の表示部分における表示条件に応じて出力する画像データをリサイズでき、さらに、表示条件を接続機器に要求する機能を持つ画像送出装置及びその動作方法について説明する。
【００５７】
＜実施形態３：構成＞本実施形態に係る画像送出装置の機能ブロック図を図８に例示する。図８に示す画像送出装置（０８００）は、「符号化画像データ保持部」（０８０１）と、「表示条件取得部」（０８０２）と、「リサイズ処理部」（０８０３）と、「第二送出部」（０８０４）と、「要求情報送信部」（０８０５）と、を有する。
【００５８】
また、本実施形態において「画像送出装置」（０８００）は画像データを表示可能な「接続機器」（０８０６）と接続されている。
【００５９】
「符号化画像データ保持部」（０８０１）と、「表示条件取得部」（０８０２）と、「リサイズ処理部」（０８０３）と、「第二送出部」（０８０４）と、については、実施形態１および２と同様であるので個々での説明は省略する。
【００６０】
「要求情報送信部」（０８０５）は、接続機器に対して表示条件の要求を示す情報である要求情報を送信する機能を有する。要求情報を受信した接続機器は、接続機器にて画像データを表示する領域の縦横比、解像度などの表示条件を取得して画像送出装置に送信する。
【００６１】
＜実施形態３：ハードウェア構成＞図９は本実施形態に係る画像送出装置の各構成要素をハードウェアとして表現した際の構成の一例を表す概略図である。図９を利用して、本実施形態に係る画像送出装置のハードウェア構成部の働きについて説明する。まず、画像送出装置から接続機器への画像送出作業の開始指示を受けると、要求情報送信プログラムを実行し、入出力インタフェース（０９０４）を介して接続されている接続機器の画像データを表示する領域の縦横比および解像度を示す情報である表示条件を要求する要求情報を送信する。接続機器はこれを受けて表示条件を送信する。そして、次に画像送出装置は表示条件取得プログラムを実行し、接続機器から表示条件を取得する。取得した表示条件は、画像データを表示する領域の表示条件として、ＲＡＭ（０９０２）の記憶データ領域に記録・保持する。ここで、接続機器が有する画像データ表示アプリケーションに関連付けて記憶・保持してもよい。次に、フラッシュメモリ（０９０５）などの記憶領域に保持されている接続装置に表示する画像データの縦横比および解像度の画像データ情報を取得し、ＲＡＭ（０９０２）の記憶データ領域に記録・保持する。そして、次にリサイズ処理プログラムを実行し、画像データを表示する領域の表示条件と画像データ情報とを比較し、縦横比を保ったまま全体が表示できるようにリサイズ処理をする。そして、リサイズ処理された画像データである処理済画像データをＲＡＭ（０９０２）の記憶データ領域に記憶・保持する。そして、第二送出プログラムを実行し、入出力インタフェース（０９０４）を通じて、ＲＡＭ（０９０２）の記憶データ領域に保持されている処理済画像データを接続機器に送出する。
【００６２】
＜実施形態３：処理の流れ＞図１０は、本実施形態に係る画像送出装置の動作方法の処理の流れを示す一例である。
【００６３】
最初に、ステップＳ１００１において、接続機器に対して表示条件を要求するための要求情報を送信する処理をする。これに対して、接続機器は表示条件を送信する。次に、ステップＳ１００２において、表示条件を取得する。次に、ステップＳ１００３において、取得した表示条件に基づいて接続機器に表示する画像データのリサイズ処理をする。そして、ステップＳ１００４において、リサイズ処理をした処理済画像データを接続機器に送出する。
【００６４】
＜実施形態３：効果＞本実施形態に係る画像送出装置によれば、画像送出装置は接続機器に対して表示条件を要求する機能をもつので、ユーザが表示条件を入力する必要はない。
＜＜実施形態４＞＞
【００６５】
＜実施形態４：概要＞本実施形態は、接続機器の表示部分における色表示条件に応じて出力する画像データの色調整をして送出する画像送出装置及びその動作方法について説明する。
【００６６】
＜実施形態４：構成＞本実施形態に係る画像送出装置の機能ブロック図を図１１に例示する。図１１に示す画像送出装置（１１００）は、「符号化画像データ保持部」（１１０１）と、「色表示条件取得部」（１１０２）と、「色調整部」（１１０３）と、「第三送出部」（１１０４）と、を有する。
【００６７】
また、本実施形態において「画像送出装置」（１１００）は画像データを表示可能な「接続機器」（１１０５）と接続されている。
【００６８】
「符号化画像データ保持部」（１１０１）については、実施形態１と同様であるのでここでの説明は省略する。
【００６９】
「色表示条件取得部」（１１０２）は、保持されている符号化画像データを表示すべき接続機器において画像データを表示する領域における色表示能力を示す情報である色表示条件を取得する機能を有する。画像データを表示する領域とは、実施形態２と同様の領域であり、図５（１）の富士山の画像を表示した領域（０５０４）である。色表示能力を示す情報である色表示条件とは、色深度などである。ここで、色深度とは、１つの画素が表示可能な色数をビット数で示したものであり、色数の中には透明度などの情報を含むこともある。色深度の種類としては、ＲＧＢ３３３（９ビット、５１２色）、ＲＧＢ５５６（１６ビット、６５５３６色）、ＲＧＢ８８８（２４ビット、１６７７７２１６色）などがある。
【００７０】
例えば、図５（１）のような、画像データ情報を示すシート１（０５０１）の最大色深度は、ＲＧＢ３３３であり、画像データを表示するシート２（０５０３）の最大色深度は、ＲＧＢ５５６であるとする。この場合には、実施形態２と同様にして表示画面の領域によって色深度が異なる表示をすることができる。また、「色表示条件取得部」（１１０２）は、画像データを表示する領域の色深度はＲＧＢ５５６である、という色表示条件を取得する。色表示条件は、ユーザが入力することにより取得されてもよいし、接続機器に対して色表示条件の要求を示す情報である色要求情報を送信する機能を有していてもよい。また、画像データを表示する領域は画面全体であってもよい。
【００７１】
「色調整部」（１１０３）は、画像データ保持部に保持されている前記接続機器に表示する画像の画像データを前記色表示条件に基づいて色表示能力の表示限度いっぱいまで色を表示できるように画像データの色情報を調整する機能を有する。例えば、接続機器に表示する画像データの元の色深度がＲＧＢ８８８であった場合には、画像データが持つ色情報を最大限利用するために、画像データを表示する領域の最大色深度であるＲＧＢ５５６に色調整する。なお、画像データを表示する画像データの元の色深度が、画像データを表示する領域の解像度よりも小さい場合には色調整は行われなくてもよい。
【００７２】
「第三送出部」（１１０４）は、色調整された画像データである色調整済画像データを前記接続機器に送出する機能を有する。
【００７３】
＜実施形態４：ハードウェア構成＞図１２は本実施形態に係る画像送出装置の各構成要素をハードウェアとして表現した際の構成の一例を表す概略図である。図１２を利用して、本実施形態に係る画像送出装置のハードウェア構成部の働きについて説明する。まず、画像送出装置から接続機器への画像送出作業の開始指示を受けると、色表示条件取得プログラムを実行し、入出力インタフェースを介して接続されている接続機器に画像データを表示する領域の色表示能力を示す情報である色表示条件を取得する。取得した色表示条件は、画像データを表示する領域の色表示条件として、ＲＡＭ（１２０２）の記憶データ領域に記録・保持する。ここで、接続機器が有する画像データ表示アプリケーションに関連付けて記憶・保持してもよい。次に、フラッシュメモリ（１２０５）などの記憶領域に保持されている接続装置に表示する画像データの色深度等の画像データ色情報を取得し、画像データの色表示条件としてＲＡＭ（１２０２）の記憶データ領域に記録・保持する。そして、次に色調整プログラムを実行し、画像データを表示する領域の色表示条件と画像データ色情報とを比較し、最大限色表示能力を利用できるように色調整をする。例えば、予想される全ての色調整に対応可能な色変換テーブルをＲＯＭ（１２０３）等に保持しており、この色変換テーブルに基づいて色調整をすることができる。そして、色調整された画像データである色調整済画像データをＲＡＭ（１２０２）の記憶データ領域に記憶・保持する。そして、第三送出プログラムを実行し、入出力インタフェース（１２０４）を通じて、ＲＡＭ（１２０２）の記憶データ領域に保持されている色調整済画像データを接続機器に送出する。
【００７４】
＜実施形態４：処理の流れ＞図１３は、本実施形態に係る画像送出装置の動作方法の処理の流れを示す一例である。
【００７５】
最初に、ステップＳ１３０１において、接続機器において画像データを表示する領域の色表示条件を取得する。次に、ステップＳ１３０２において、取得した色表示条件に基づいて接続機器に表示する画像データの色調整をする。そして、ステップＳ１３０３において、色調整をした色調整済画像データを接続機器に送出する。
【００７６】
＜実施形態４：効果＞本実施形態に係る画像送出装置によれば、接続機器に表示させる色表示条件で画像データを送出するため、伝送量が無駄に大きくなることはない。接続機器が最大限表示できる色表示能力に合わせたデータを送出することが可能である。
＜＜実施形態５＞＞
【００７７】
＜実施形態５：概要＞本実施形態は、接続機器に保持されている画像データを接続機器にて表示する際に各画像が適切な表示サイズ、解像度となる一覧表示画面を生成して、その一覧表示画面を接続機器に送出する画像送出装置及びその動作方法について説明する。
【００７８】
＜実施形態５：構成＞本実施形態に係る画像送出装置の機能ブロック図を図１４に例示する。図１４に示す画像送出装置（１４００）は、「符号化画像データ保持部」（１４０１）と、「表示領域条件取得部」（１４０２）と、「制御部」（１４０３）と、「生成部」（１４０４）と、「第四送出部」（１４０５）と、を有する。さらに、「第四送出部」（１４０５）は、「同時一覧手段」（１４０６）と、「スライドショー型一覧手段」（１４０７）と、を有する。
【００７９】
また、本実施形態において「画像送出装置」（１４００）は画像データを表示可能な「接続機器」（１４０８）と接続されている。
【００８０】
「符号化画像データ保持部」（１４０１）については、実施形態１と同様であるのでここでの説明は省略する。
【００８１】
「表示領域条件取得部」（１４０２）は、符号化画像データを表示すべき接続機器から、その接続機器において画像データを表示する領域のサイズ又は／及び解像度を示す情報である表示領域条件を取得する機能を有する。サイズ情報の取得は、例えば、画面の縦と横の長さを取得することによってなされる。また、解像度情報の取得は、画面が持つ最大解像度を取得することによってなされる。
【００８２】
「制御部」（１４０３）は、画像データの一覧表示を接続機器の表示部によって前記表示領域条件で表示する場合に、各画像の表示サイズ又は／及び解像度が所定基準以下にならないように一覧表示を制御する機能を有する。ここで所定基準とは、表示サイズについては横の長さが２インチ、解像度については「３２０×１８０」、というように設定する。接続機器が、携帯電話の画面であるか、テレビの画面であるか、等によって所定の基準が異なってもよい。一覧表示を制御する処理の流れについては後に詳細に説明する。
【００８３】
「生成部」（１４０４）は、画像データの一覧表示画面を「制御部」（１４０３）の制御に基づいて生成する機能を有する。また、「生成部」（１４０４）は、一覧表示画面の表示のために制御に応じて機能させる「同時一覧手段」（１４０６）と、「スライドショー型一覧手段」（１４０７）とを有する。図１５（１）は「同時一覧手段」（１４０６）を用いた一覧表示画面の一例であり、図１５（２）は「スライドショー型一覧手段」（１４０７）を用いた一覧表示画面の一例である。
【００８４】
「第四送出部」（１４０５）は、生成された一覧表示画面を接続機器に送出する機能を有する。
【００８５】
＜実施形態５：ハードウェア構成＞図１６は本実施形態に係る画像送出装置の各構成要素をハードウェアとして表現した際の構成の一例を表す概略図である。図１６を利用して、本実施形態に係る画像送出装置のハードウェア構成部の働きについて説明する。まず、画像送出装置から接続機器への一覧表示画面送出作業の開始指示を受けると、表示領域条件取得プログラムを実行し、入出力インタフェースを介して接続されている接続機器の画像データを表示する領域のサイズ又は／及び解像度を示す情報である表示領域条件を取得する。取得した表示領域条件は、画像データを表示する領域の表示領域条件として、ＲＡＭ（１６０２）の記憶データ領域に記録・保持する。次に、フラッシュメモリ（１６０５）などの記憶領域に保持されている接続装置に表示する画像データの縦横比、解像度等の画像データ情報を取得し、ＲＡＭ（１６０２）の記憶データ領域に記録・保持する。そして、次に制御プログラムを実行し、画像データを表示する領域の表示領域条件と画像データ情報とから各画像の表示サイズ又は／及び解像度が所定基準以下にならないように一覧表示を制御する。一覧表示を制御する処理の流れについては後に詳細に説明する。次に、生成プログラムを実行し、一覧表示画面を生成する。生成された一覧表示画面はＲＡＭ（１６０２）の記憶データ領域に記憶・保持する。そして、第四送出プログラムを実行し、入出力インタフェース（１６０４）を通じて、ＲＡＭ（１６０２）の記憶データ領域に保持されている一覧表示画面を接続機器に送出する。
【００８６】
＜実施形態５：処理の流れ＞図１７は、本実施形態に係る画像送出装置の動作方法の処理の流れを示す一例である。
【００８７】
最初に、ステップＳ１７０１において、接続機器において画像データを表示する領域の表示領域条件を取得する。次に、ステップＳ１７０２において、一覧表示の制御処理をする。次に、ステップＳ１７０３において、ステップＳ１７０２での制御に基づいて一覧表示画面を生成する。次に、ステップＳ１７０４において生成された一覧表示画面を接続機器に送出する。
【００８８】
ここで、ステップＳ１７０２において一覧表示を制御する処理の流れについて、その一例を詳細に説明する。なお、各画像の表示サイズ及び解像度が所定基準以下にならないように一覧表示を制御する場合について説明する。
【００８９】
まず、ステップＳ１７０２Ａにおいて、Ｎ＝５とおく。次に、ステップＳ１７０２Ｂにおいて、縦にＮ（５）個の画像が並ぶレイアウトを作成する。次に、ステップＳ１７０２Ｃにおいて、ステップＳ１７０２Ｂにおいて生成したレイアウトによる一画像の表示サイズが所定の基準以上であるかを判断する。ここでの判断が所定の基準以上であるとの判断であった場合は、ステップＳ１７０２Ｄに進む。そして、ステップＳ１７０２Ｄにおいて、ステップＳ１７０２Ｂにおいて作成したレイアウトによる一画像の解像度が所定の基準以上であるかを判断する。ここでの判断が所定の基準以上であるとの判断であった場合は、Ｓ１７０２Ｂで作成したレイアウトにて一覧表示することを決定し、ステップＳ１７０３に進む。また、ステップＳ１７０２Ｃ、ステップＳ１７０２Ｄにおいて、所定の基準以上ではないとの判断であった場合には、Ｎ＝Ｎ−１として、縦に並ぶ画像数を１つ少なくしてレイアウトを作成しなおす。
【００９０】
このようにして、Ｎ＝３で、所定の表示サイズおよび解像度の基準条件を満たしたものが図１５（１）である。また、Ｎ＝２にしても、表示サイズおよび解像度の基準条件を満たさない場合には、図１５（２）に示したようなスライドショー型一覧表示にしてもよい。
【００９１】
この説明において初期値Ｎをどのように設定するかは設計思想上の問題であり、どのような値にしてもよい。また、接続機器が、携帯電話の画面であるか、テレビの画面であるか、等によって一覧表示の制御方法が異なってもよい。
【００９２】
＜実施形態５：効果＞本実施形態に係る画像送出装置によれば、接続機器に表示させる一覧表示の条件に合わせて画像データを送出するため、伝送量が無駄に大きくなることはない。また、表示サイズや解像度に基準値が設けられているため見にくい一覧表示がなされることがない。さらに、接続装置に一覧表示アプリケーションがない場合でも一覧表示画面を作成することが可能である。
【図面の簡単な説明】
【００９３】
【図１】実施形態１に係る画像送出装置の機能ブロック図
【図２】実施形態１に係る画像送出装置のハードウェア構成図
【図３】実施形態１に係る画像送出装置の処理フロー図
【図４】実施形態２に係る画像送出装置の機能ブロック図
【図５】実施形態２に係る接続機器に画像データを表示する一例
【図６】実施形態２に係る画像送出装置のハードウェア構成図
【図７】実施形態２に係る画像送出装置の処理フロー図
【図８】実施形態３に係る画像送出装置の機能ブロック図
【図９】実施形態３に係る画像送出装置のハードウェア構成図
【図１０】実施形態３に係る画像送出装置の処理フロー図
【図１１】実施形態４に係る画像送出装置の機能ブロック図
【図１２】実施形態４に係る画像送出装置のハードウェア構成図
【図１３】実施形態４に係る画像送出装置の処理フロー図
【図１４】実施形態５に係る画像送出装置の機能ブロック図
【図１５】実施形態５に係る一覧表示画面の一例
【図１６】実施形態５に係る画像送出装置のハードウェア構成図
【図１７】実施形態５に係る画像送出装置の処理フロー図
【符号の説明】
【００９４】
０１００  画像送出装置
０１０１  符号化画像データ保持部
０１０２  復号可能符号化種別情報取得部
０１０３  判断部
０１０４  復号化部
０１０５  第一送出部
０１０６  接続機器
【図１】
2009135638.tif 000003
【図２】
2009135638.tif 000004
【図３】
2009135638.tif 000005
【図４】
2009135638.tif 000006
【図５】
2009135638.tif 000007
【図６】
2009135638.tif 000008
【図７】
2009135638.tif 000009
【図８】
2009135638.tif 000010
【図９】
2009135638.tif 000011
【図１０】
2009135638.tif 000012
【図１１】
2009135638.tif 000013
【図１２】
2009135638.tif 000014
【図１３】
2009135638.tif 000015
【図１４】
2009135638.tif 000016
【図１５】
2009135638.tif 000017
【図１６】
2009135638.tif 000018
【図１７】
2009135638.tif 000019